(57)【要約】【課題】コストダウンと剛性向上とを図りつつ、乗員の足当りを防止し得るようにする。【解決手段】インストルメントパネル１１に形成した開口部１３にグローブボックス本体１４を取付けるグローブボックス取付構造であって、開口部１３の下縁部１８にほぼ沿って直線的に延びる金属製補強材２０を設けると共に、グローブボックス本体１４の下面を支持可能な樹脂製アンダーカバー２２を振動溶着可能に設け、樹脂製アンダーカバー２２に金属製補強材２０を収容可能な補強材収容部２７を設けて、金属製補強材２０と樹脂製アンダーカバー２２の補強材収容部２７とをインストルメントパネル１１に共締可能に構成している。【選択図】図２
2007137222.tif 000002
【特許請求の範囲】
【請求項１】
インストルメントパネルに形成した開口部にグローブボックス本体を取付けるグローブボックス取付構造において、
前記開口部の下縁部にほぼ沿って直線的に延びる金属製補強材を設けると共に、グローブボックス本体の下面を支持可能な樹脂製アンダーカバーを振動溶着可能に設け、該樹脂製アンダーカバーに前記金属製補強材を収容可能な補強材収容部を設けて、前記金属製補強材と樹脂製アンダーカバーの補強材収容部とを前記インストルメントパネルに共締可能に構成したことを特徴とするグローブボックス取付構造。
【発明の詳細な説明】
【技術分野】
【０００１】
この発明は、グローブボックス取付構造に関するものである。
【背景技術】
【０００２】
自動車などの車両には、車室内の前部にインストルメントパネルが設けられている（例えば、特許文献１参照）。そして、図４に示すように、このようなインストルメントパネル１の助手席側の部分には、グローブボックス２などの物入装置が設けられている。
【０００３】
このグローブボックス２は、例えば、図５に示すように、インストルメントパネル１に形成した開口部３に取付けられる。
【０００４】
この際、グローブボックス２の下面を支持可能な金属製補強材５を設け、この金属製補強材５の両端部近傍を開口部３の両端部に設けられた止点６に固定するようにしている。この金属製補強材５は、金属帯板からなり、グローブボックス２の下面を支持し得るように、面外方向へ複雑な形状に曲折形成されている。また、グローブボックス２の下面と金属製補強材５との間に、低級音対策用の不織布７を介装している。
【特許文献１】実公平０２−７０８０号公報
【発明の開示】
【発明が解決しようとする課題】
【０００５】
しかしながら、上記特許文献１に記載されたグローブボックス取付構造では、グローブボックス２の下面を金属製補強材５のみで支持させ得るようにするために、金属製補強材５の形状が複雑となり、その分、コストもかかるという問題があった。
【０００６】
また、複雑形状の金属製補強材５は、取付けが難作業となるという問題があった。
【０００７】
更に、金属製補強材５がグローブボックス２の下面側で剥き出しになるため、乗員の足当り（つま先当りなど）に対して、構造的な不利がある。
【０００８】
加えて、グローブボックス２の下面と、金属製補強材５との当り面に、低級音対策用の不織布７が必要になるという問題があった。
【課題を解決するための手段】
【０００９】
上記課題を解決するために、請求項１に記載された発明では、インストルメントパネルに形成した開口部にグローブボックス本体を取付けるグローブボックス取付構造において、前記開口部の下縁部にほぼ沿って直線的に延びる金属製補強材を設けると共に、グローブボックス本体の下面を支持可能な樹脂製アンダーカバーを振動溶着可能に設け、該樹脂製アンダーカバーに前記金属製補強材を収容可能な補強材収容部を設けて、前記金属製補強材と樹脂製アンダーカバーの補強材収容部とを前記インストルメントパネルに共締可能に構成したグローブボックス取付構造を特徴としている。
【発明の効果】
【００１０】
請求項１の発明によれば、金属製補強材を直線的なものとすることにより、形状が単純化され、その分、コストダウンを図ることができる。また、樹脂製アンダーカバーを設けたことにより、必要な支持剛性が確保可能であると共に、樹脂製アンダーカバーをグローブボックス本体に振動溶着することにより、更なる剛性向上を図ることができる。そして、金属製補強材を樹脂製アンダーカバーの補強材収容部に収容することにより、金属製補強材を覆って剥き出しにならないようにすることができるため、乗員の足当りに対して構造的に有利である。更に、樹脂製アンダーカバーをグローブボックス本体に振動溶着することにより、低級音対策用の不織布を不要化することができる。
【発明を実施するための最良の形態】
【００１１】
コストダウンと剛性向上とを図りつつ、乗員の足当りを防止し得るようにするという目的を、開口部の下縁部にほぼ沿って直線的に延びる金属製補強材を設けると共に、グローブボックス本体の下面を支持可能な樹脂製アンダーカバーを振動溶着可能に設け、樹脂製アンダーカバーに金属製補強材を収容可能な補強材収容部を設けて、金属製補強材と樹脂製アンダーカバーの補強材収容部とをインストルメントパネルに共締可能に構成する、という手段で実現した。
【実施例】
【００１２】
以下、本発明を具体化した実施例について、図示例と共に説明する。
【００１３】
図１〜図３は、この発明の実施例を示すものである。
【００１４】
まず、構成を説明すると、自動車などの車両には、車室内の前部に、図１に示すようなインストルメントパネル１１が設けられており、このインストルメントパネル１１の助手席側の部分には、グローブボックス１２などの物入装置が設けられている。
【００１５】
このグローブボックス１２は、例えば、図２に示すように、インストルメントパネル１１に形成した開口部１３に取付けられる。ここで、グローブボックス１２には、開閉蓋部を有するリッド型のものや、収納箱部全体を開閉させるようにしたバケット型のものや、開口部分が露出されたポケット型のものなど、各種のものが存在しており、いずれのものにも適用可能であるが、この場合には、ポケット型のものとされている。このポケット型のグローブボックス１２は、インストルメントパネル１１の開口部１３とほぼ合致する開口部を有する箱型のグローブボックス本体１４を備えている。このグローブボックス本体１４は、成形上の都合から、アッパ部材１５とロワ部材１６とに分割形成されている。
【００１６】
以上のような基本的構成に対し、この実施例のものでは、インストルメントパネル１１の開口部１３の下縁部１８にほぼ沿って直線的に延びる金属製補強材２０を設ける。ここで、開口部１３の下縁部１８は、インストルメントパネル１１やグローブボックス１２の設計に応じた任意のものとすることができるが、この場合には、見栄えや、強度確保や、グローブボックス１２および後述する樹脂製アンダーカバー２２などとの接続性などを考慮して、図３に示すように、手前側（車両前後方向後方）へ向けて突出する「つ」字型の折返し形状とされている。また、金属製補強材２０は、金属帯板で構成される。この金属帯板は、強度を向上し得るようにするために、ほぼ上下に向けられた両側縁部に縁折加工が適宜施されている。
【００１７】
そして、グローブボックス本体１４の下面を支持可能な樹脂製アンダーカバー２２を振動溶着可能に設ける。ここで、樹脂製アンダーカバー２２は、凸部２３と凹部２４とを奥行方向（車両前後方向）へ繰返し形成された、側面視凹凸形状を有している。各凸部２３には、グローブボックス本体１４下面に対する振動溶着代２５が設けられている。この振動溶着代２５を確保するために、樹脂製アンダーカバー２２は、ほぼ矩形波状の凹凸形状とされている。なお、グローブボックス本体１４下面に対して樹脂製アンダーカバー２２を取付けた状態では、「つ」字型の下縁部１８の上端部にグローブボックス本体１４の下縁部が連接され、「つ」字型の下縁部１８の下端部に樹脂製アンダーカバー２２の手前側縁部が連接されるように構成している。
【００１８】
更に、樹脂製アンダーカバー２２に金属製補強材２０を収容可能な補強材収容部２７を設ける。ここで、金属製補強材２０は、グローブボックス１２を効率的に補強するためには、グローブボックス本体１４内部に収納された収納物２８の重心２９（グローブボックス１２の奥行方向のほぼ中央部）に近い位置に配設するのが好ましい。一方で、インストルメントパネル１１の開口部１３の下縁部１８を効率的に補強するためには、下縁部１８により近い位置に配設するのが好ましい。そのために、この実施例では、先ず、「つ」字型の下縁部１８の両端部を奥側へ向けて可能な限り延長するようにしている。そして、樹脂製アンダーカバー２２は、最も手前側の凸部２３とその次の（二番目の）凸部２３との間に位置する凹部２４の幅を拡大して補強材収容部２７を構成している。
【００１９】
そして、金属製補強材２０と樹脂製アンダーカバー２２の補強材収容部２７とをインストルメントパネル１１に共締可能に構成する。そのために、図２に示すように、インストルメントパネル１１における開口部１３の下縁部１８の両端部近傍に、金属製補強材２０の両端部近傍および樹脂製アンダーカバー２２をネジ止め可能な取付座３０を設定する。また、金属製補強材２０および樹脂製アンダーカバー２２の補強材収容部２７の取付座３０と対応する位置に、取付面３１，３２を設定する。この取付座３０および取付面３１，３２は、グローブボックス本体１４の両側面よりも外側の位置に設定される。また、取付面３１，３２は、グローブボックス本体１４下面に樹脂製アンダーカバー２２を振動溶着した時に、グローブボックス本体１４と樹脂製アンダーカバー２２とで金属製補強材２０両端部を挟着保持し得るようなものとする。更に、図示しないステアリングサポートメンバなどの車体側メンバに取付けられたメンバブラケット３３を、これらの間に介在させて、ネジで一緒に共締させるようにしても良い。ここで、上記ステアリングサポートメンバは、左右の車体パネル間を連結する強度部材であり、このステアリングサポートメンバにステアリングコラムなどが支持される。また、上記ネジは、インストルメントパネル１１に対し、車室内側の低い位置から斜め上方へ向けて取付けられる。そして、ネジによって取付けられた状態では、図３に示すように、金属製補強材２０は、ネジに面直に傾斜した状態となると共に、中央部がグローブボックス本体１４下面に対して非接触状態となる。
【００２０】
次に、この実施例の作用について説明する。
【００２１】
インストルメントパネル１１の開口部１３にグローブボックス１２を取付けることにより、グローブボックス１２に対して収納物２８を収納することが可能となる。
【００２２】
このインストルメントパネル１１に対するグローブボックス１２の取付けは、以下の様にして行われる。
【００２３】
先ず、樹脂製アンダーカバー２２の補強材収容部２７に金属製補強材２０を収容する。次に、グローブボックス本体１４の下面に樹脂製アンダーカバー２２を振動溶着して、樹脂製アンダーカバー２２をグローブボックス本体１４と一体化する。この状態では、取付面３１，３２により、グローブボックス本体１４と樹脂製アンダーカバー２２との間に金属製補強材２０両端部が挟着保持される。
【００２４】
そして、インストルメントパネル１１の開口部１３に、グローブボックス本体１４を取付ける。この時、インストルメントパネル１１における開口部１３の下縁部１８の両端部近傍に設定した取付座３０に、金属製補強材２０と樹脂製アンダーカバー２２の補強材収容部２７とに設定した取付面３１，３２とが重ねて当接されるので、これらに、車室内側の低い位置から斜め上方へ向けてネジを螺着する。この際、ステアリングサポートメンバなどの車体側メンバに取付けられたメンバブラケット３３を介在させて、これらと一緒に共締させるようにする。以上により、グローブボックス本体１４下部の固定が行われると、同時に、金属製補強材２０の固定が行われる。よって、金属製補強材２０を別個に取付ける作業が不要となる。
【００２５】
この実施例によれば、金属製補強材２０を直線的なものとすることにより、形状が単純化され、必要強度も大幅に低減できるので、その分、コストダウンを図ることができる。
【００２６】
また、樹脂製アンダーカバー２２によって、必要な支持剛性が確保可能であると共に、樹脂製アンダーカバー２２をグローブボックス本体１４に振動溶着することにより、更なる剛性向上を図ることができる。
【００２７】
金属製補強材２０を樹脂製アンダーカバー２２の補強材収容部２７に収容することにより、金属製補強材２０を覆って剥き出しにならないようにすることができるため、乗員の足当り（つま先当りなど）に対して構造的に有利である。
【００２８】
しかも、この補強材収容部２７を、グローブボックス本体１４内部に収納された収納物２８の重心２９に近い位置に設定することにより、金属製補強材２０の強度を必要最小限に抑えることが可能となる。
【００２９】
樹脂製アンダーカバー２２をグローブボックス本体１４に振動溶着することにより、低級音対策用の不織布を不要化することができる。
【００３０】
更に、樹脂製アンダーカバー２２を凸部２３と凹部２４とを奥行方向（車両前後方向）へ繰返し形成された側面視凹凸形状とすることにより、剛性向上と共に、緊急時における衝撃吸収性能を得ることができる。
【００３１】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。また、複数の実施例や変形例が示されている場合には、これらの可能な組合せが含まれることは勿論である。
【図面の簡単な説明】
【００３２】
【図１】本発明の実施例にかかるインストルメントパネルを背面側（車両前方の側）から見た、グローブボックスの取付状態を示す部分斜視図である。
【図２】図１のインストルメントパネル部分の分解斜視図である。
【図３】図１のグローブボックス部分の側方断面図である。
【図４】従来例にかかるインストルメントパネルを背面側（車両前方の側）から見た、グローブボックスの取付状態を示す部分斜視図である。
【図５】図４のインストルメントパネル部分の分解斜視図である。
【符号の説明】
【００３３】
１１  インストルメントパネル
１３  開口部
１４  グローブボックス本体
１８  下縁部
２０  金属製補強材
２２  樹脂製アンダーカバー
２７  補強材収容部
【図１】
2007137222.tif 000003
【図２】
2007137222.tif 000004
【図３】
2007137222.tif 000005
【図４】
2007137222.tif 000006
【図５】
2007137222.tif 000007